(57)【要約】【課題】パルス性雑音の未検出を防止し、耳障りな音質を改善する。【解決手段】パルス性雑音が、第１パルス性雑音検出器１２によって第１混合器３の入力で検出された場合、第１パルス性雑音検出器１２が第２混合器６を停止させるため、第２混合器６の出力にはパルス性雑音が存在せず、第２パルス性雑音検出器１３は動作せず、第１パルス性雑音検出器１２によってのみパルス性雑音が除去される。一方、パルス性雑音が妨害局信号の影響を受け、第１パルス性雑音検出器１２によって第１混合器３の入力で検出されなかった場合、第２混合器６の出力にパルス性雑音が存在するが、第１帯域通過フィルタ５によって受信信号に帯域制限がかかるため妨害局信号が減衰され、第２パルス性雑音検出器１３は、検出感度が低下することなく、適切なパルス雑音検出を行うことが可能となり、パルス性雑音が発生したときのみスイッチ制御式中間周波増幅器１４が一定時間停止する。【選択図】図１
2005210382.tif 000002
【特許請求の範囲】
【請求項１】
放送局信号を受信しＡＭ復調して出力するＡＭ受信回路において第１中間周波信号と第２中間周波信号とに帯域制限を行うＡＭラジオ受信機であって、
ＲＦ信号からパルス性雑音を検出し、前記第１中間周波信号に含まれるパルス性雑音を除去する第１パルス性雑音検出器と、前記第２中間周波信号から前記パルス性雑音を検出し、前記第２中間周波信号に含まれるパルス性雑音を除去する第２パルス性雑音検出器とを備えたことを特徴とするＡＭラジオ受信機。
【請求項２】
前記中間周波増幅器に、前記パルス性雑音検出器からの出力信号に応じて前記中間周波信号に含まれるパルス性雑音を除去する手段を備えたことを特徴とする請求項１記載のＡＭラジオ受信機。
【請求項３】
放送局信号を受信しＡＭ復調して出力するＡＭ受信回路において第１中間周波信号と第２中間周波信号とに帯域制限を行うＡＭラジオ受信機であって、
ＲＦ信号からパルス性雑音を検出し、前記第１中間周波信号に含まれるパルス性雑音を除去する第１パルス性雑音検出器と、前記第２中間周波信号から前記パルス性雑音を検出し、音声信号に含まれるパルス性雑音を除去する第２パルス性雑音検出器とを備えたことを特徴とするＡＭラジオ受信機。
【請求項４】
ＡＭ検波器に、前記パルス性雑音検出器からの出力信号に応じて音声信号に含まれるパルス性雑音を除去する手段を備えたことを特徴とする請求項３記載のＡＭラジオ受信機。
【請求項５】
放送局信号を受信しＡＭ復調して出力するＡＭ受信回路において第１中間周波信号と第２中間周波信号とに帯域制限を行うＡＭラジオ受信機であって、
前記第１中間周波信号からパルス性雑音を検出し、前記第２中間周波信号に含まれるパルス性雑音を除去するパルス性雑音検出器を備えたことを特徴とするＡＭラジオ受信機。
【請求項６】
前記パルス性雑音検出器に、入力信号に帯域制限をかける帯域通過フィルタを備えたことを特徴とする請求項５記載のＡＭラジオ受信機。
【発明の詳細な説明】
【技術分野】
【０００１】
本発明は、ＡＭ受信機に混入するパルス性雑音を検出するＡＭラジオ受信機に関するものである。
【背景技術】
【０００２】
ＡＭラジオ受信機におけるパルス性雑音(パルスノイズ)は、従来、大きな問題となっている（特許文献１参照）。
【０００３】
パルス性雑音は主に外乱パルスがアンテナに重畳されることによって発生し、包絡線検出を行うＡＭラジオ受信機においては、重畳された外乱パルスが音声として検出されるため、非常に耳障りな音質となる。
【０００４】
特に車載用ＡＭラジオにおいては、エンジンの点火栓から発生するイグニッションノイズや、その他電装系の機械的な動作によって発生する外乱パルスがアンテナに重畳されるため、顕著に音声に影響する。
【０００５】
以下、従来のＡＭ受信機に混入するパルス性雑音を検出するＡＭラジオ受信機を図１０を参照して説明する。
【０００６】
図１０において、ＡＭラジオ受信機は、アンテナ１、ＲＦ増幅器２、第１混合器３、局部発振器４、第１帯域通過フィルタ５、第２混合器６、水晶発振器７、第２帯域通過フィルタ８、中間周波増幅器９、ＡＭ検波器１０、ＡＭ検波出力端子１１、パルス性雑音検出器１２とで構成される。
【０００７】
以上のように構成された従来のＡＭラジオ受信機の動作を説明する。
【０００８】
図１０において、アンテナ１で受信した放送局信号は、ＲＦ増幅器２で増幅され、第１混合器３で局部発振器４からの局部発振信号と混合されて第１中間周波信号に変換される。第１中間周波信号は、第１帯域通過フィルタ５で帯域制限され、第２混合器６で水晶発振器７からの水晶発振信号と混合されて第２中間周波信号に変換される。第２中間周波信号は、第２帯域通過フィルタ８で帯域制限され、中間周波増幅器９で増幅された後、ＡＭ検波器１０でＡＭ復調されて出力される。
【０００９】
一方、パルス性雑音検出器１２は、アンテナ１に重畳されたパルス性雑音を第１混合器３の入力で検出し、一定時間のブランクパルスを発生させ、このブランクパルスが発生している期間、第２混合器６を停止させる。第２混合器６が停止している期間は、放送局信号にパルス性雑音が存在しないため、耳障りな音質が改善される。
【特許文献１】特開昭５２−２７２０７号公報
【発明の開示】
【発明が解決しようとする課題】
【００１０】
しかしながら、図１０のように構成される従来のＡＭラジオ受信機では、パルス性雑音の検出端子が帯域制限を受けない第１混合器３の入力となっているため、希望局信号と共に強度の妨害局信号がアンテナ１に入力された場合に、パルス性雑音の検出感度が低下するという問題がある。
【００１１】
図１１は希望局信号と妨害局信号とパルス性雑音の関係を示したものである。
【００１２】
パルス性雑音の検出感度が低下すると、パルス性雑音検出器１２で未検出となったパルス性雑音の影響により検出された音声信号は耳障りとなる。
【００１３】
本発明は、前記従来の課題を解決するものであり、パルス性雑音の未検出を防止し、適切な検出を行うことによって、耳障りな音質を改善できるＡＭ受信機を提供することを目的とする。
【課題を解決するための手段】
【００１４】
前記従来の課題を解決するため、請求項１に記載の発明は、ＲＦ信号からパルス性雑音を検出し、第１中間周波信号に含まれるパルス性雑音を除去する第１パルス性雑音検出器と第２中間周波信号から前記パルス性雑音を検出し、前記第２中間周波信号に含まれるパルス雑音を除去する第２パルス性雑音検出器を備えたことを特徴としている。
【００１５】
請求項２に記載の発明は、中間周波増幅器にパルス性雑音検出器からの出力信号に応じて中間周波信号に含まれるパルス性雑音を除去する手段を備えたことを特徴としている。
【００１６】
請求項３に記載の発明は、ＲＦ信号からパルス性雑音を検出し、第１中間周波信号に含まれるパルス性雑音を除去する第１パルス性雑音検出器と第２中間周波信号から前記パルス性雑音を検出し、音声信号に含まれるパルス性雑音を除去する第２パルス性雑音検出器を備えたことを特徴としている。
【００１７】
請求項４に記載の発明は、ＡＭ検波器にパルス性雑音検出器からの出力信号に応じて音声信号に含まれるパルス性雑音を除去する手段を備えたことを特徴としている。
【００１８】
請求項５に記載の発明は、第１中間周波信号からパルス性雑音を検出し、第２中間周波信号に含まれるパルス性雑音を除去するパルス性雑音検出器を備えたことを特徴としている。
【００１９】
請求項６に記載の発明は、パルス性雑音検出器に入力信号に帯域制限をかける帯域通過フィルタを備えたことを特徴としている。
【発明の効果】
【００２０】
本発明によれば、第２中間周波信号に含まれるパルス性雑音を検出し、中間周波増幅器を一定時間停止させるパルス性雑音検出器によって、パルス性雑音の未検出を防止し、適切な検出を行うことによって、耳障りな音質を改善できるＡＭ受信機を構成することができる。
【００２１】
本発明によれば、第２中間周波信号に含まれるパルス性雑音を検出し、ＡＭ検波器を一定時間停止させるパルス性雑音検出器によって、パルス性雑音の未検出を防止し、適切な検出を行うことによって、耳障りな音質を改善できるＡＭ受信機を構成することができる。
【００２２】
本発明によれば、第１中間周波信号に含まれるパルス性雑音を検出し、第２混合器を一定時間停止させるパルス性雑音検出器によって、パルス性雑音の未検出を防止し、適切な検出を行うことによって、耳障りな音質を改善できるＡＭ受信機を構成することができる。
【発明を実施するための最良の形態】
【００２３】
以下、本発明の実施の形態を図面に基づいて説明する。なお、図１０にて説明した従来例と同一部分は同一符号を用いて説明する。
【００２４】
（実施の形態１）
図１は本発明の実施の形態１におけるＡＭラジオ受信機の構成を示すブロック図である。
【００２５】
図１において、実施の形態１のＡＭラジオ受信機は、アンテナ１、ＲＦ増幅器２、第１混合器３、局部発振器４、第１帯域通過フィルタ５、第２混合器６、水晶発振器７、第２帯域通過フィルタ８、スイッチ制御式中間周波増幅器１４、ＡＭ検波器１０、ＡＭ検波出力端子１１、第１パルス性雑音検出器１２、第２パルス性雑音検出器１３とで構成される。
【００２６】
図２は実施の形態１における第１パルス性雑音検出器１２および第２パルス性雑音検出器１３の構成例を示しており、抵抗Ｒ１〜Ｒ４、容量Ｃ１、トランジスタＱ１〜Ｑ１５、定電圧源Ｖ１、定電流源Ｉ１〜Ｉ４とで構成される。
【００２７】
図３は実施の形態１におけるスイッチ制御式中間周波増幅器１４の構成例を示しており、抵抗Ｒ５、トランジスタＱ１６〜Ｑ２７、定電圧源Ｖ２，Ｖ３、定電流源Ｉ５〜Ｉ６とで構成される。
【００２８】
以上のように構成された実施の形態１のＡＭラジオ受信機の動作を説明する。
【００２９】
図１においてアンテナ１で受信した放送局信号はＲＦ増幅器２で増幅され、第１混合器３で局部発振器４からの局部発振信号と混合されて第１中間周波信号に変換される。第１中間周波信号は、第１帯域通過フィルタ５で帯域制限され、第２混合器６で水晶発振器７からの水晶発振信号と混合されて、第２中間周波信号に変換される。第２中間周波信号は、第２帯域通過フィルタ８で帯域制限され、スイッチ制御式中間周波増幅器１４で増幅された後、ＡＭ検波器１０でＡＭ復調されて出力される。
【００３０】
一方、第１パルス性雑音検出器１２は、パルス性雑音を第１混合器３の入力で検出し、一定時間、第２混合器６を停止させる。また第２パルス性雑音検出器１３は、パルス性雑音を第２混合器６の出力で検出し、一定時間、スイッチ制御式中間周波増幅器１４を停止させる。
【００３１】
図４においてパルス性雑音検出端子に基準電圧Ｖ１より高いパルス性雑音が入力されたとき、端子Ａの電位がパルス性雑音により瞬時に低下し、端子Ｂは容量Ｃ１と抵抗Ｒ１、Ｒ２、Ｒ４とで決定される時定数により放電され電位が下がるため、端子Ａと端子Ｂの電位差が逆転する期間が生じ、その間、トランジスタＱ１５がＯＮ状態となり、Ｑ１５が接続された定電流源を遮断することによって、次段の回路を停止させる。通常パルス性雑音は、第２帯域通過フィルタ８によって時間遅れが生じ、またパルス性雑音自身も伸長するため、次段の回路を停止させる期間は音質に影響することのない十分に長い時間を必要とする。
【００３２】
図４は第２パルス性雑音検出器１３における上記の関係を示したものである。
【００３３】
図３において、入力に印加された受信信号は、(Ｒ５・Ｉ５)／Ｖｔ(≒２６ｍＶ)で決定される利得で増幅され、バッファ回路を通して出力される。バッファ回路の電流源にはトランジスタスイッチが付加されており、トランジスタスイッチがＯＮ時のみ、受信信号は出力されなくなる。
【００３４】
次に、パルス性雑音がアンテナに重畳された状態における実施の形態１のＡＭラジオ受信機の動作を説明する。
【００３５】
アンテナ１に重畳されたパルス性雑音が、第１パルス性雑音検出器１２によって第１混合器３の入力で検出された場合、第１パルス性雑音検出器１２が第２混合器６を停止させるため、第２混合器６の出力にはパルス性雑音が存在せず、第２パルス性雑音検出器１３は動作せず、第１パルス性雑音検出器１２によってのみパルス性雑音が除去される。
【００３６】
一方、アンテナ１に重畳されたパルス性雑音が妨害局信号の影響を受け、第１パルス性雑音検出器１２によって第１混合器３の入力で検出されなかった場合、第２混合器６の出力にパルス性雑音が存在する。しかしながら、第１帯域通過フィルタ５によって受信信号に帯域制限がかかるため妨害局信号が減衰され、第２パルス性雑音検出器１３は、検出感度が低下することなく、適切なパルス雑音検出を行うことが可能となり、パルス性雑音が発生したときのみスイッチ制御式中間周波増幅器１４が一定時間停止するため、パルス性雑音による耳障りな音声は、音声信号出力端子に出力されなくなる。
【００３７】
実施の形態１のＡＭラジオ受信機では、前記特性を利用して第２中間周波信号に含まれるパルス性雑音を検出し、中間周波増幅器を一定時間停止させるパルス性雑音検出器によってパルス性雑音の未検出を防止し、適切な検出を行うことによって、耳障りな音質を改善できるＡＭ受信機を実現できる。
【００３８】
（実施の形態２）
図５は本発明の実施の形態２におけるＡＭラジオ受信機の構成を示すブロック図である。
【００３９】
図５において、実施の形態２のＡＭラジオ受信機は、アンテナ１、ＲＦ増幅器２、第１混合器３、局部発振器４、第１帯域通過フィルタ５、第２混合器６、水晶発振器７、第２帯域通過フィルタ８、中間周波増幅器９、スイッチ制御式ＡＭ検波器１５、ＡＭ検波出力端子１１、第１パルス性雑音検出器１２、第２パルス性雑音検出器１３とで構成される。
【００４０】
図６は実施の形態２におけるスイッチ制御式ＡＭ検波器１５の構成例を示しており、抵抗Ｒ６〜Ｒ１０、トランジスタＱ２８〜Ｑ３８、定電圧源Ｖ５、定電流源Ｉ７〜Ｉ１０とで構成される。
【００４１】
以上のように構成された実施の形態２のＡＭラジオ受信機の動作を説明する。
【００４２】
図５において、アンテナ１で受信した放送局信号は、ＲＦ増幅器２で増幅され、第１混合器３で局部発振器４からの局部発振信号と混合されて第１中間周波信号に変換される。第１中間周波信号は、第１帯域通過フィルタ５で帯域制限され、第２混合器６で水晶発振器７からの水晶発振信号と混合されて、第２中間周波信号に変換される。第２中間周波信号は、第２帯域通過フィルタ８で帯域制限され、中間周波増幅器９で増幅された後、スイッチ制御式ＡＭ検波器１５でＡＭ復調されて出力される。
【００４３】
一方、第１パルス性雑音検出器１２は、パルス性雑音を第１混合器３の入力で検出し、一定時間、第２混合器６を停止させる。また第２パルス性雑音検出器１３は、パルス性雑音を第２混合器６の出力で検出し、一定時間、スイッチ制御式ＡＭ検波器１５を停止させる。第１パルス性雑音検出器１２および第２パルス性雑音検出器１３の動作の説明は、実施の形態１と同様であるため省略する。
【００４４】
図６において、パルス性雑音検出回路のトランジスタスイッチがＯＦＦ状態、かつ抵抗Ｒ８＞Ｒ６、Ｒ７＝Ｒ９の関係にあり、端子Ｃの電位が端子Ｄの電位より高い状態に設定されている場合には、中間周波信号入力端子に印加された中間周波信号は、容量Ｃ２によって包絡線検波され、バッファ回路を通して音声信号出力端子に出力される。
【００４５】
ここで、パルス性雑音検出回路のトランジスタスイッチがＯＮ状態になると、バッファ回路が動作せず、端子Ｅがハイインピーダンスとなるため、容量Ｃ３によって保持された信号が音声信号出力端子に出力される。
【００４６】
次に、パルス性雑音がアンテナに重畳された状態における実施の形態２のＡＭラジオ受信機の動作を説明する。
【００４７】
アンテナに重畳されたパルス性雑音が、第１パルス性雑音検出器１２によって第１混合器３の入力で検出された場合、第１パルス性雑音検出器１２が第２混合器６を停止させるため、第２混合器６の出力にはパルス性雑音が存在せず、第２パルス性雑音検出器１３は動作せず、第１パルス性雑音検出器１２によってのみパルス性雑音が除去される。
【００４８】
一方、アンテナ１に重畳されたパルス性雑音が妨害局信号の影響を受け、第１パルス性雑音検出器１２によって第１混合器３の入力で検出されなかった場合、第２混合器６の出力にパルス性雑音が存在する。しかしながら、第１帯域通過フィルタ５によって受信信号に帯域制限がかかるため妨害局信号が減衰され、第２パルス性雑音検出器１３は、検出感度が低下することなく、適切なパルス雑音検出を行うことが可能となり、パルス性雑音が発生したときのみ、スイッチ制御式ＡＭ検波器１５が一定時間信号を保持するため、パルス性雑音による耳障りな音声は、音声信号出力端子に出力されなくなる。
【００４９】
実施の形態２のＡＭラジオ受信機では、前記特性を利用して第２中間周波信号に含まれるパルス性雑音を検出し、ＡＭ検波器出力信号を一定時間保持させるパルス性雑音検出器によってパルス性雑音の未検出を防止し、適切な検出を行うことによって、耳障りな音質を改善できるＡＭ受信機を実現できる。
【００５０】
（実施の形態３）
図７は本発明の実施の形態３におけるＡＭラジオ受信機の構成を示すブロック図である。
【００５１】
図７において、実施の形態３のＡＭラジオ受信機は、アンテナ１、ＲＦ増幅器２、第１混合器３、局部発振器４、第１帯域通過フィルタ５、第２混合器６、水晶発振器７、第２帯域通過フィルタ８、中間周波増幅器９、ＡＭ検波器１０、ＡＭ検波出力端子１１、帯域制限型パルス性雑音検出器１６とで構成される。
【００５２】
図８は帯域制限型パルス性雑音検出器１６の構成例を示しており、抵抗Ｒ１１〜１２、容量Ｃ４，Ｃ５、バッファ回路Ｂ１，Ｂ２、および図２に示すパルス性雑音検出器とで構成される。
【００５３】
以上のように構成された実施の形態３のＡＭラジオ受信機の動作を説明する。
【００５４】
図７において、アンテナ１で受信した放送局信号は、ＲＦ増幅器２で増幅され、第１混合器３で局部発振器４からの局部発振信号と混合されて、第１中間周波信号に変換される。第１中間周波信号は、第１帯域通過フィルタ５で帯域制限され、第２混合器６で水晶発振器７からの水晶発振信号と混合されて、第２中間周波信号に変換される。第２中間周波信号は、第２帯域通過フィルタ８で帯域制限され、中間周波増幅器９で増幅された後、ＡＭ検波器１０でＡＭ復調されて出力される。
【００５５】
一方、帯域制限型パルス性雑音検出器１６は、パルス性雑音を第１混合器３の出力で検出し、一定時間、第２混合器６を停止させる。
【００５６】
図８において、帯域制限型パルス性雑音検出器入力では、第１中間周波信号に重畳されたパルス性雑音を検出する。ここでは遮断周波数が１／(２π・Ｃ４・Ｒ１１)、および１／(２π・Ｃ５・Ｒ１２)で決定される第１中間周波信号近傍の周波数のみ通過させるバンドパスフィルタを構成し、図２に示すパルス性雑音検出器に信号を伝達する。
【００５７】
図９は図８で示した帯域制限型パルス性雑音検出器の端子Ｆでの周波数特性を示したものである。図２に示すパルス性雑音検出器の動作の説明は、実施の形態１と同様であるため説明を省略する。
【００５８】
次に、パルス性雑音がアンテナに重畳された状態における実施の形態３のＡＭラジオ受信機の動作を説明する。
【００５９】
アンテナ１に重畳されたパルス性雑音が、受信信号と共に帯域制限型パルス性雑音検出器１６に入力された場合、帯域制限型パルス性雑音検出器１６のバンドパスフィルタによって帯域制限がかかるため妨害局信号が減衰され、帯域制限型パルス性雑音検出器１６では、妨害局信号の影響によって検出感度が低下することなく、適切なパルス雑音検出を行うことが可能となり、パルス性雑音が発生したときのみ第２混合器が一定時間停止するため、パルス性雑音による耳障りな音声は、音声信号出力端子に出力されなくなる。
【００６０】
実施の形態３のＡＭラジオ受信機では、前記特性を利用して第１中間周波信号に含まれるパルス性雑音を検出し、第２混合器を一定時間停止させるパルス性雑音検出器によってパルス性雑音の未検出を防止し、適切な検出を行うことによって、耳障りな音質を改善できるＡＭ受信機を実現できる。
【産業上の利用可能性】
【００６１】
本発明は、本発明は、ＡＭ受信機に混入するパルス性雑音を検出するＡＭラジオ受信機に適用され、特にパルス性雑音の未検出を防止し、適切な検出を行うことによって、耳障りな音質を改善するＡＭラジオ受信機に用いて有効である。
【図面の簡単な説明】
【００６２】
【図１】本発明の実施の形態１におけるＡＭラジオ受信機の構成を示すブロック図
【図２】実施の形態１および実施の形態２におけるパルス性雑音検出器の構成例を示す回路図
【図３】実施の形態１におけるスイッチ制御式中間周波増幅器の構成例を示す回路図
【図４】図２に示すパルス性雑音検出器の端子Ａおよび端子Ｂの電位の関係を示す図
【図５】本発明の実施の形態２におけるＡＭラジオ受信機の構成を示すブロック図
【図６】実施の形態２におけるスイッチ制御式ＡＭ検波器の構成例を示す回路図
【図７】本発明の実施の形態３におけるＡＭラジオ受信機の構成を示すブロック図
【図８】実施の形態３における帯域制限型パルス性雑音検出器の構成例を示す回路図
【図９】図８に示す帯域制限型パルス性雑音検出器の帯域通過フィルタの周波数特性を示す図
【図１０】従来のＡＭラジオ受信機の構成を示すブロック図
【図１１】希望局信号と妨害局信号とパルス性雑音の関係を示す図
【符号の説明】
【００６３】
１  アンテナ
２  ＲＦ増幅器
３  第１混合器
４  局部発信器
５  第１帯域通過フィルタ
６  第２混合器
７  水晶発振器
８  第２帯域通過フィルタ
９  中間周波増幅器
１０  ＡＭ検波器
１１  ＡＭ検波器出力端子
１２  第１パルス性雑音検出器
１３  第２パルス性雑音検出器
１４  スイッチ制御式中間周波増幅器
１５  スイッチ制御式ＡＭ検波器
１６  帯域制限型パルス性雑音検出器
【図１】
2005210382.tif 000003
【図２】
2005210382.tif 000004
【図３】
2005210382.tif 000005
【図４】
2005210382.tif 000006
【図５】
2005210382.tif 000007
【図６】
2005210382.tif 000008
【図７】
2005210382.tif 000009
【図８】
2005210382.tif 000010
【図９】
2005210382.tif 000011
【図１０】
2005210382.tif 000012
【図１１】
2005210382.tif 000013